(57)【要約】      （修正有）【課題】従来の耐震補強工事などにおける既存の壁を解体したり、引き戸を犠牲にして耐力壁を新設したりする際の施工の煩雑さに伴う工期の長期化並びに費用の増大等の問題を解決する他、補強工事を実施したとしても既存の建築物の美観を損なわないよう工夫された引き戸に対する耐力パネルの設置工法、並びに当該耐力パネルの設置工法を用いた建築物を提供する。【解決手段】既存の建築物における引き戸枠を利用した耐力パネルの設置工法であって、引き戸枠の内側の全ての面に対して、当該引き戸枠に設けられている引き戸の内側又は外側に耐力パネル取付金物１５ａ、１５ｂを設置して固定する金物設置工程と、既存の引き戸を残した状態で、耐力パネル取付金物１５ａ、１５ｂに対して透明な耐力パネルを設置して固定する透明耐力パネル設置工程とからなる、引き戸枠に対する耐力パネルの設置工法、並びに耐力パネルの設置工法を用いた建築物とする。【選択図】図１
2016053248.tif 000002
【特許請求の範囲】
【請求項１】
既存の建築物における引き戸枠を利用した耐力パネルの設置工法であって、
引き戸枠の内側全体であって、当該引き戸枠に設けられる引き戸の内側又は外側に対して耐力パネル取付金物を設置する金物設置工程と、
当該耐力パネル取付金物に対して透明な耐力パネルを設置して固定する透明耐力パネル設置工程となからなる、引き戸枠に対する耐力パネルの設置工法。
【請求項２】
前記透明な耐力パネルは、矩形の耐力パネル構成単位を横方向に複数枚並べて構成されており、隣り合う耐力パネル構成単位と向き合う辺には、横断面コ字状の金物が設けられている、請求項１に記載の引き戸に対する耐力パネルの設置工法。
【請求項３】
前記引き戸枠の内側に対する耐力パネル取付金物の設置、及び当該耐力パネル取付金物に対する透明な耐力パネルの設置は、何れもタッピングビスを用いて行われており、少なくともＬ字状の金物は、ヤング率が、６．９×１０４Ｎ／ｍｍ２以上、且つ２０×１０４Ｎ／ｍｍ２以下の材料を用いて形成されている、請求項１又は２に記載の引き戸枠に対する耐力パネルの設置工法。
【請求項４】
複数の引き戸が設けられている建築物であって、
少なくとも何れかの引き戸が設けられている引き戸枠内には透明な耐力パネルが設置されており、
当該透明な耐力パネルが、請求項１〜３の何れか一項に記載の設置工法によって設置されていることを特徴とする、建築物。
【請求項５】
建築物における引き戸の間口構造であって、
引き戸枠内には引き戸が設けられていると共に、当該引き戸の内側又は外側には、当該引き戸間口を塞いだ状態で透明な耐力パネルが設置されており、
当該耐力パネルは、前記請求項１〜３の何れか一項に記載の設置工法によって設置されていることを特徴とする、建築物における引き戸の間口構造。
【発明の詳細な説明】
【技術分野】
【０００１】
本発明は既存の建築物に対して耐震補強等を施す目的で使用される耐力パネルの設置工法、並びに当該耐力パネルの設置工法を用いた建築物に関し、特に大規模な補強工事を必要とせず、施工既存の建築物の美観を損なわないよう工夫した、引き戸枠に対する耐力パネルの設置工法、並びに当該工法により耐力パネルを設置した建築物に関する。
【背景技術】
【０００２】
周知の通り、住宅及びその他の建築物には、建物の自重、及び屋根への積雪などで鉛直方向にかかる荷重、更には地震や強風などによる水平方向にかかる荷重等に抵抗して建物を支えるために耐力パネル等の補強構造が設けられている。
【０００３】
従来、かかる補強構造としては、壁面の対角線に筋交いを入れたり、構造用合板を張って補強したものが知られており、従前においても種々工夫された技術が提案されている。
【０００４】
例えば、特許文献１（特開平９−２２８５４８号公報）では、薄板鋼板を芯材とした耐力及び変形性能の高い合板製耐震壁及びその形成方法として、耐状金物にねじ穴を所定の間隔で開けた取付金物を合板に当て、前記ねじ穴よりタッピングビスを前記合板を通してスチールフレームにねじこみ、固定したことを特徴とする合板耐震壁、そしてスチールフレームの上に合板を置き、該合板の上に取付金物を重ね、当該取付金物のねじ穴タッピングビスを、前記合板を通して前記スチールフレームにねじこみ、固定する合板耐震壁の形成方法を提案している。
【０００５】
この他、特許文献２（特開２００８−０９５４３０号公報）では、設置時における作業手間が少ない上、強度や剛性を確実に確保できるようにした耐震壁構造として、建物の躯体に耐震壁を構築する耐震壁構造であって、複数のブロックから形成され、外周部を前記躯体に固定させると共に、水平方向及び鉛直方向の少なくとも一方向に隙間部を形成してなり、該隙間部を挟んで互いに連結される接合ブロックを有するブロック耐震壁と、前記接合ブロック同士のそれぞれの側面に固定され、前記接合ブロック同士を連結する接合板と、を備えている耐震壁構造を提案している。
【先行技術文献】
【特許文献】
【０００６】
【特許文献１】特開平９−２２８５４８号公報
【特許文献２】特開２００８−０９５４３０号公報
【発明の概要】
【発明が解決しようとする課題】
【０００７】
前述の通り、従来における耐震補強工事では、耐震強度の弱い既存の弱い壁に対して筋交いを入れたり、合板で補強したりする等の工法が用いられてきた。
【０００８】
しかし、従来の工法では、既存の壁を解体したり、引き戸を犠牲にして耐力壁を新設したりするため、大規模な補強工事となってしまっていた。また、その施工手順が煩雑な故に、工期も長く、費用が嵩んでしまい、更には施工する際の騒音、振動及び粉塵の発生により、近隣住民への迷惑が生じてしまう可能性もあった。
【０００９】
そこで本発明では、建築物の耐震補強等の際、大規模な補強工事を必要とせず、施工が容易な上、工期の長期化・費用の増大等を抑えられるよう工夫した、引き戸枠に対する耐力パネルの設置工法、並びに当該工法により耐力パネルを設置した建築物を提供することを第１の課題とする。
【００１０】
また、補強工事を行う際には、壁の一部を解体して耐震強度の高い壁に変更したり、引き戸が設置されている間口を犠牲にして耐力壁を設置する等して、少なくとも既存の建物の一部の美観を損なう結果も生じていた。特に重要文化財等の景観に価値がある建物については、美観を損なう工事は敬遠されがちな面もあり、その為に補強工事を実施しない例も存在した。しかし、文化財建造物の中には住宅や宗教施設として使われているものや、文化財として内部を公開活用しているものも多々存在するため、文化財といえども一般の建物と同様に安全性を確保する必要がある。
【００１１】
そこで本発明では、補強工事を実施したとしても、既存の建築物の美観を損なわないよう工夫された、引き戸に対する耐力パネルの設置工法、並びに当該工法により耐力パネルを設置した建築物を提供することを第２の課題とする。
【課題を解決するための手段】
【００１２】
上記課題の少なくとも何れかを解決するべく、本発明では既存の建築物における引き戸枠を利用した耐力パネルの設置工法、並びに当該設置工法を用いて、耐力パネルを設置した建築物を提供する。
【００１３】
即ち、本発明にかかる引き戸枠を利用した耐力パネルの設置工法は、既存の建築物における引き戸枠を利用した耐力パネルの設置工法であって、引き戸枠の内側全体であって、当該引き戸枠に設けられる引き戸の内側又は、外側に対して耐力パネル取付金物を設置する金物設置工程と、当該耐力パネル取付金物に対して透明な耐力パネルを設置して固定する透明耐力パネル設置工程とからなる、引き戸枠に対する耐力パネルの設置工法である。
【００１４】
上記本発明にかかる耐力パネルの設置工法では、既存の引き戸枠（多くの場合、鴨居、柱、敷居などで構成されているが、これに限らない）を利用し、且つ引き戸を残した状態で耐力パネルが設置可能なため、既存の建物を解体したり、引き戸を取り外す等により犠牲にする必要がなく、そのまま残すことができ、そして工事における工期や費用を大幅に削減することができる。
【００１５】
ここで、前記耐力パネル取付金物は、前記建築物における引き戸枠内に配置される耐力パネルを保持する機能を果たす為に使用される。かかる耐力パネル取付金物は、建築物における引き戸枠の周り又は引き戸枠内に存在する構造体に対して固定される金物取付部と、当該取付部から曲折して形成された、引き戸枠に対して平行な面であって、耐力パネルを保持する耐力パネル取付部とから構成することができる。当該構造体に対する金物取付部の固定、及び耐力パネル取付部に対する耐力パネルの保持は、ビス（望ましくはタッピングビス）又は釘などを含む締結部材によって行うことができる。
【００１６】
使用する前記耐力パネル取付金物自体の材質は問わないが、締結部材を打ち込むのが容易であって、且つ一定の変形応力を有するものがよい。つまり、ヤング率が６．９×１０４Ｎ／ｍｍ２以上、且つ２０×１０４Ｎ／ｍｍ２以下の材料で形成するのが望ましく、更に望ましくは７．５×１０４Ｎ／ｍｍ２以上、且つ２０×１０４Ｎ／ｍｍ２以下の材質で形成するのが望ましい。このようなヤング率を有する材料としては、例えば黄銅（真鍮）が挙げられる。この黄銅（真鍮）であれば、延展性が高く、鉄などと比較しても耐腐食性が優れており、更に製造コストの点でも望ましいものとなる。また、耐力パネルの取付に際してタッピングビスを使用する場合、特に下孔等を設けなくとも、ビスを打ち込むことができるため、作業性が大幅に向上する。
【００１７】
上記のようなヤング率を有する材質を用いて形成することにより、一定の範囲までは、耐力パネルとの一体性を確保して、この耐力パネルによって横方向の変形や歪みに耐えることができる。そして一定以上の力が作用した場合には、耐力パネル取付金物自体が変形することから、横方向の変形や歪みに対して、ある程度追従しながら耐えることができる。その結果、地震などにおける横揺れに対しては一定の範囲までは応力を保ちながら追従変形することにより耐えることができる。すなわち、引き戸枠における耐震強度を高めるだけでなく、変形によるエネルギー吸収効果も期待できる。つまり、ダンパー効果により制振性能も向上させることが可能となる。
【００１８】
また、前記金物取付部及び耐力パネル取付部には、締結部材を打ち込む孔部を予め形成することもできる。このような孔部を形成しておけば、設置作業時における作業性を向上させるだけでなく、ビスや釘などの設置間隔を一定に保つことができる。耐力パネルを表側（室内側）から引き戸枠内に設置する際、耐力パネル取付部は耐力パネルの奥に存在することになるが、当該耐力パネルは透明である事から、孔部を確認できる。よって、この場合でも、耐力パネル側からタッピングビスなどを差し込んで、この奥に存在する耐力パネル取付部まで貫通させることにより、当該耐力パネルを固定することが可能となる。
【００１９】
さらに、前記耐力パネル取付金物は、前記した要件を備える限りにおいて、様々な形状に形成することができる、例えば、前記金物取付部と耐力パネル取付部とが直交する向きに交わる、断面略Ｌ字状のＬ字型金物として形成したり、また前記金物取付部を、長手方向に直交する横断面形状がコ字状のコ字型金物として形成することも可能である。
【００２０】
また、前記耐力パネルとしては、従来ＯＳＢ（構造用木質ボード）や、構造用合板、ダイライトなどの様々な種類のものが、建物の耐震性や耐力性を向上させるために用いられてきた。この点、本発明にかかる耐力パネルでは、設置したとしても背景乃至は外観が認識できるよう透明な板を使用するものである。かかる透明な耐力パネルとしては金属やガラス、その他樹脂板などを用いて形成することが可能であるが、特にポリカーボネートやアクリルなどの透明な樹脂からなる板を用いるのが望ましい。
【００２１】
前記耐力パネルとしてポリカーボネート製の板を用いることで透明性に優れる他、軽量で耐衝撃性にも優れ、パネル自体の弾性により、変形に対しての追従性とダンパー効果が期待でき、更には加工性にも優れたものとなるためである。即ち、パネル自体の弾性により、変形に対しての追従性とダンパー効果が期待できることから、地震時などにより大きな変形になって面外変形を生じても、耐力を温存したまま存在する事ができ、加わる力が地震力のように変化して戻る状態になっても、残留変形がなく塑性変形が生じることなく復元し、再度耐力を発揮することが過去の同様の実験から確認されている。また、加工性にも優れていることから、補強工事を実施する際にも、当該耐力パネルを施工目的に応じた形状に作成・加工することが容易にでき、様々な形状に作成したとしても一定の耐震性・耐力性を持ち合わせた耐力パネルの提供が可能となる。そして透明性に優れている事から、このように、透明な耐力パネルを使用することにより、背景が認識可能になるので、既存建築物の美観を損なう可能性を減少させることができる。そのため、例えば重要文化財のような景観に価値がある建物について補強工事を実施したとしても、工事実施箇所の美観を害すことなく、従来通りに近い景観の提供が可能となる。
【００２２】
また、前記耐力パネルは、多くの場合、凹凸の無い板として形成されているが、任意に凹凸を形成する事もできる。例えば、地震力等の外力によって歪みが生じる場合、その力が集中する部分を厚く形成したり、当該力を意図的に特定の部位に集中させる為に、任意にへこみや溝などを形成してもよい。更にこの耐力パネルには、厚さ方向に貫通する複数の孔を設けて形成することができ、面内変形（広さ方向に歪む変形）も実現可能である。特に当該貫通孔は、歪み変形可能な形状、即ち円、楕円以外の形状、例えば四角形の孔の四隅を円形に刳り抜いた形状等に形成するのが望ましい。貫通孔の変形により、耐力パネル自体も面内変形することから、変形に対しての追従性とダンパー効果を高めることができる為である。
【００２３】
上記耐力パネルの強度や弾性は、此れを設定する建築物の構造等を考慮して、適宜設定することができるが、少なくとも耐震要素として機能し得る程度に、水平荷重(横からの力)に抵抗する能力が必要である。例えば、当該耐力パネルが樹脂で形成されている場合には、使用する樹脂にもよるが、６ｍｍ以上、５０ｍｍ以下の厚さに形成する事が望ましく、特にポリカーボネートを用いて形成する場合には、９ｍｍ以上で、２０ｍｍ以下の厚さに形成するのが望ましい。この範囲よりも薄い場合には、面外変形しやすくなり耐震要素として十分に機能しない事が考えられる。一方で、前記の範囲よりも厚い場合には、引き戸枠に対する設置するのが困難で作業性が低下し、また剛性が高くなることから、此れを設置している構造体（引き戸枠等）に対しての影響を考慮しなければならない為である。
【００２４】
また前記透明な耐力パネルは、横方向に複数枚並べて構成してもよい。即ち、引き戸枠の内側の全ての面に対して、耐力パネルを設置する。当然に、間口の広い引き戸枠も存在するが、この場合でも複数枚の耐力パネルを組み合わせて、引き戸枠の前面を塞ぐように耐力パネルを設けるのが望ましい。仮に当該間口の半分にだけ耐力パネルを設置したとしても、ある程度は耐力特性を向上できる事も考えられるが、耐力パネルの内、引き戸枠に固定されていない部分に応力が集中してしまい、耐震強度の向上が図れない事も考えられる。この点、当該耐力パネルの全ての縁部分が引き戸枠又は柱に固定されていれば、変形時の応力は、当該耐力パネルの全面に作用し、耐震強度を大幅に向上させることができる為である。
【００２５】
よって、大広間のような幅の広い引き戸枠が存在する場合には、前記耐力パネルを複数枚並べて構成することで、より強い耐震補強が可能となる。複数枚並べて構成する場合には、隣り合う耐力パネルと向き合う辺には、横断面コ字状の金物を設けて両者を固定しても良い。横断面コ字状の金物を用いることで、耐力パネルと前記コ字状の金物とを固定できるだけでなく、背を向け合った前記コ字状金物の金物取付部同士も固定可能となるため、横方向に並べられた耐力パネル同士の一体性を高め、より強く固定できることになる。
【００２６】
ここで、上記構成による引き戸枠に対する耐力パネルの設置工法を用いて補強工事を実施するに当たり、当該耐力パネル取付金物を外部より見え難くする為に、矩形の化粧板を引き戸枠の内周壁に設けることも望ましい。耐力パネルを透明に構成した場合、耐力パネル取付金物自体はどうしても外部から見えてしまうことになる。しかし、前記化粧板を引き戸枠の内周壁に設ける（望ましくは耐力パネル取付金物の前に設置する）ことで、当該化粧板によって耐力パネル取付金物自体を隠すことが可能になり、既存建築物の美観をより一層損なわないものとすることができる。例えば、文化財として公開活用している建物などについては、観覧目的の客が近くで見物したりする場合もあるため、前記化粧板を襖などの外縁と同様の色調に設定しておけば、補強工事実施後でも違和感の少ない建物の提供が可能となる。更に、前記耐力パネル取付金物に直接着色を施して、目立たないようにする事もできる。
【００２７】
そして本発明では、上記設置工法により、引き戸のスライド動作は可能であるが、当該引き戸の間口からの利用者の出入りができないようにした引き戸の間口構造を実現できる。かかる間口によれば、間口の外観を損なうことなく、耐震強度を向上させることができる。即ち、建築物における引き戸の間口構造であって、引き戸枠内には引き戸が設けられていると共に、当該引き戸の内側又は外側には、当該引き戸間口を塞いだ状態で透明な耐力パネルが設置されており、当該耐力パネルは、上記本発明にかかる設置工法によって設置した、建築物における引き戸の間口構造である。
上記本発明は、住宅や寺院・神社の他、オフィスビル、官公庁舎、空港、商業施設、倉庫などの建築物の他、間口を備える構造物を広く含んでおり、特に障子や襖などの引き戸を設置する為の引き戸枠を備えた建築物において実施することができる。
【発明の効果】
【００２８】
上記本発明にかかる引き戸枠に対する耐力パネルの設置工法を使用することにより、既存の壁を解体したり、引き戸を取り外して耐力壁を新設したりするなどの大規模な補強工事を必要としない。また耐力パネル取付金物を使用した簡易な施工方法のため、補強工事における工期の長期化・費用の増大等を抑えることが可能となる。また、この耐力パネル取付金物として黄銅製の物を使用すれば、一定の範囲内において応力をもって歪み変形可能であり、また応力が解消した後には復元できる事から、一定の応力を保ちながら変形に抗する事のできる耐震補強要素を実現している。
【００２９】
また、本発明における引き戸枠に対する耐力パネルの設置工法では、透明な耐力パネルを使用することから、耐震性・耐力性を高める他、既存の建築物の美観を損なう可能性を非常に少なくすることができる。そのため重要文化財のような景観に価値がある建物について補強工事を実施したとしても、建物の美観を害すことなく、従来通りの景観を保持することができる。
【００３０】
即ち本発明により、景観を重視した上で、更に耐震補強を果たせる構造が提案されることから、歴史的な理由やその他の理由により、景観を損なうような耐震補強を果たし得なかった建築物においても、簡易な工事で、十分な耐震補強を果たす技術が実現している。
【図面の簡単な説明】
【００３１】
【図１】本実施の形態にかかる設置工法により、引き戸枠に対して耐力パネルを設置した状態を示す斜視図
【図２】図１における（Ａ）Ａ−Ａ矢視横断面図、（Ｂ）Ｂ−Ｂ矢視縦断面図
【図３】耐力パネルの設置工程を示す横断面略図
【図４】本実施の形態にかかる設置工法により、引き戸枠に対して耐力パネルを設置した状態を示す正面図
【図５】図１において、更に化粧板を設置した状態を示す（Ａ）Ａ−Ａ矢視横断面図、（Ｂ）Ｂ−Ｂ矢視縦断面図
【図６】本実施の形態にかかる設置工法によって、引き戸枠に対して耐力パネルを設置した建築物を示す略図
【図７】本実施の形態にかかる設置工法によって、引き戸枠に対して耐力パネルを設置した建築物を示す略図
【発明を実施するための形態】
【００３２】
以下、図面を参照しながら本実施の形態にかかる引き戸枠に対する耐力パネルの設置工法、並びに当該設置工法を用いて耐力パネルを設置した建築物を具体的に説明する。但し、本発明にかかる引き戸枠に対する耐力パネルの設置工法、並びに当該設置工法を用いて耐力パネルを設置した建築物は、本実施の形態に限定されるものではなく、発明の趣旨を逸脱しない範囲内において適宜変更することが可能である。
【００３３】
図１は本実施の形態にかかる設置工法により、引き戸枠に対して耐力パネルを設置した状態を示す斜視図であり、図２は図１における（Ａ）Ａ−Ａ横断面矢視図、（Ｂ）Ｂ−Ｂ縦断面矢視図であり、図３は耐力パネルの設置工程を示す横断面略図であり、図４は本実施の形態にかかる設置工法により、引き戸枠に対して耐力パネルを設置した状態を示す正面図であり、図５は図１において、更に化粧板を設置した状態を示す（Ａ）Ａ−Ａ横断面矢視図、（Ｂ）Ｂ−Ｂ縦断面矢視図であり、図６及び７は、それぞれ本実施の形態にかかる設置工法によって、引き戸枠に対して耐力パネルを設置した建物を示す略図である。
【００３４】
図１、及び図２に示す桁材12、柱材13、敷居14は建物内における引き戸枠を構成している。当該引き戸枠を構成する桁材12、柱材13、敷居14は、既存の建築物に設置されているものであり、その材質に制限はない。多くの場合、当該引き戸枠は木材で形成されているが、金属やプラスチックなどで構成されていても良い。但し、耐震補強等の目的で本実施の形態にかかる耐力パネルを設置するのであるから、その設置工事の際に破損などしないよう一定の強度を備えており、更に設置した後においても、地震などで簡易に損傷しない程度の強度を備えていることが望ましい。仮に、当該引き戸枠が簡易に損傷してしまう場合には、当該引き戸枠の交換や補強も検討するのが望ましい。
【００３５】
図２に示す様に、当該引き戸枠内には襖や障子などの一対の引き戸Sが設けられる。この引き戸Sは敷居14に設けられた敷居レール21に案内されて左右方向に摺動可能であって、引き戸枠内に設けられる間口は開閉自在に形成されている。また、当該引き戸Sの内側（又は外側）には耐力パネル11を２枚横方向に並べて配置している。
【００３６】
当該耐力パネル11は四角形の透明な板で形成するのがよい。材質としてはガラスやプラスチックなどを用いてもよいが、本実施の形態ではポリカーボネート製の板を用いるのが望ましい。透明な材質を使用することで、当該引き戸枠を有する建築物の美観を損なうおそれが減少するためである。よって、例えば重要文化財のような景観に価値がある建物について補強工事を実施したとしても、美観を害すことなく、従来通りの景観を保つことが可能となる。また、本実施の形態で使用している耐力パネル11は、厚さ１２ｍｍのポリカーボネート製の板を使用している。かかる耐力パネル11であれば、地震力等の外力により引き戸枠が歪んだとしても、当該耐力パネル11自体が面外変形しながら抵抗して外力を受けることができ、外力が取り除かれた後においては弾性力によって復元し、再び耐震要素として機能することができる。
【００３７】
また、桁材12、柱材13、及び敷居14とからなる引き戸枠と、前記耐力パネル11とは、金物取付部16と耐力パネル取付部17とからなるＬ字型の耐力パネル取付金物15aに対して、タッピングビスや釘等の締結部材19を等間隔に打ち込むことで固定している。前記Ｌ字型の耐力パネル取付金物15aはヤング率が６．９×１０４Ｎ／ｍｍ２以上、且つ２０×１０４Ｎ／ｍｍ２以下の材料で形成するのが望ましく、例えば黄銅（真鍮）などを用いて形成するのがよい。これは金物自体を変形可能に構成することで、地震などにおける横揺れに対しての追従変形性を高め、建物の耐震性・耐力性を高める為である。
【００３８】
また、作業性向上のために、前記金物取付部16には、締結部材19を打ち込む孔部18を予め形成している。予め孔部18を形成しておくことで、等間隔に且つ正確に締結部材19を打ち込むことが可能となる。本実施の形態において、前記金物取付部16にのみ孔部18を設け、耐力パネル取付部17には孔部18を設けていないが、耐力パネル取付部17に対して孔部18を設けることを除外するものではない。本形態のように耐力パネル取付部17に孔部18を設けない場合は、耐力パネル側から締結部材19を差し込んで、この奥に存在する耐力パネル取付部17まで貫通させることにより、当該耐力パネル11を固定することも可能である。
【００３９】
さらに、横方向に２枚並べた耐力パネル11の向き合う面には、長手方向に直交する横断面形状がコ字型の耐力パネル取付金物15bを設けている。横断面コ字型の耐力パネル取付金物15bを用いることで、耐力パネル11と前記コ字型の耐力パネル取付金物15bとを締結部材19で固定できるだけでなく、さらに背を向け合ったコ字型の耐力パネル取付金物15b同士も締結部材19を用いて固定することができる。これにより、広い面積の耐力パネルにおいて、中央部分の歪みや変形を阻止することができる。
【００４０】
かかるコ字型の耐力パネル取付金物15bを使用することにより、２枚の耐力パネル11を連結することができ、これにより間口全体を閉じて耐力構成要素（即ち、耐力パネル11）を設置することができる。この時、当然のことながら、当該耐力パネル自体を大きく、即ち間口全体を塞ぐ大きさに形成すれば、このコ字型の耐力パネル取付金物15bを不要とすることができる。しかしながら、当該耐力パネル11の面積が広すぎると、面外変形量（厚さ方向に歪んで変形する量）が大きくなり、耐力要素としての機能が低下する事も考えられる。よって、設置した耐力パネル11における面外変形量を一定に保つ上では、当該コ字型の耐力パネル取付金物15bを使用するのが望ましい。
【００４１】
上記コ字型の耐力パネル取付金物15bの上下端と、Ｌ字型の耐力パネル取付金物15aとは、接合用添板20によって一体化されている。即ち、両取付金物15a,15bに対して一枚板からなる接合用添板20をビス等で取り付ける事により、当該コ字型の耐力パネル取付金物15bを、Ｌ字型の耐力パネル取付金物15aと建築物（特に開口部）に保持することができる。
【００４２】
図３は、前記建築物内に設置されている引き戸枠に対してＬ字型の耐力パネル取付金物15aを設置し、上下のＬ字型の耐力パネル取付金物15aに対してコ字型の耐力パネル取付金物15bを設置した取付金物に対して、耐力パネル11を設置する状態を示している。この図３（Ａ）〜（Ｃ）に示す様に、当該耐力パネル11は、最初に幅方向の一端側をコ字型の耐力パネル取付金物15bに差し込みながら、他端側をＬ字型の耐力パネル取付金物15aに押し当てるようにして設置する。そして当該取付金物と耐力パネル11とをタッピングビス（締結部材19）によって緊結することで、耐力パネル11による耐震補強を実現できる。なお、タッピングビスを打ち込む方向は、取付金物側から行う。
【００４３】
図４は、以上の様にして透明な耐力パネル11を設置した間口を示す全体略図であり、この図に示す様に、本実施の形態にかかる耐力パネル11は、引き戸の間口を閉じるようにして、透明な耐力パネル11を設置している。その結果、当該間口においては、引き戸自体は開閉動作（スライド移動）ができるものの、透明な耐力パネル11によって閉塞されている為に、当該間口からの人の出入りはできないことになる。しかしながら、当該間口構造によって耐震強度は高められており、しかも既存の引き戸Tは、透明な耐力パネル11を通して見る事ができるのであることから、見た目の印象を損なう事もない。よって、耐震強度を高めながらも、建築物の意匠を重視した耐震補強を実現することができる。なお、室内からの見栄えを良くする場合には、当該耐力パネル11は室外側に設置するのが望ましい。
【００４４】
ただし、透明な耐力パネル11を固定するための取付金物（Ｌ字型の耐力パネル取付金物15a及びコ字型の耐力パネル取付金物15b）、特にＬ字型の耐力パネル取付金物15aが露出してしまうと、見た目の印象を変えてしまう事も考えられる。そこで、このような取付金物を目立たなくする為に、当該取付金物を着色するか、或いは図５に示す様に化粧板52を設け、当該化粧板52で取付金物を覆い隠すことも望ましい。
【００４５】
即ち、図５に示す横断面図は、基本的には前記図１と同じであり、間口の引き戸枠は桁材12、柱材13、及び敷居14で構成し、当該引き戸枠における内側に向く面にはＬ字型の耐力パネル取付金物15aを設置すると共に、上下のＬ字型の耐力パネル取付金物15aに対してコ字型の耐力パネル取付金物15bを固定し、横方向に２枚並べた耐力パネル11を突き合せ状にして引き戸枠内に固定している。そして桁材12、柱材13、敷居14に設けたＬ字型の耐力パネル取付金物15aを隠す様にして、化粧板52を設けている。また、コ字型の耐力パネル取付金物15bは、見る方向によっては、引き戸の枠に隠れて見えなくなる場合も多いが、必要に応じてコ字型の耐力パネル取付金物15bを隠す様にして、化粧板52を設けても良い。
【００４６】
かかる化粧板は、当該取付金物に対して直接貼付する他、当該取付金物が透明な耐力パネル11を介して透過して見える場合には、この耐力パネル11に対して貼付することができる。かかる化粧板52を設けることで、当該耐力パネル取付金物部分の外見を見栄え良くすることが可能となる。さらに当該化粧板52を襖などの外縁と同様の色味に設定するなどすれば、耐力パネル11を設けて耐震性・耐力性を高めているにも関わらず、より襖の美観を損なうことなく既存の建築物本来の美観を堪能することができる。
【００４７】
図６は本実施の形態にかかる設置工法によって耐力パネルを設置した状態を示す略図であり、特に室内からの景観を重要視した日本和室の例を示している。この例では、室内に畳64、蛍光灯65、引き戸T、障子63が設けられており、引き戸T、及び障子63には前記同様、透明な耐力パネル11を設置しており、さらに室内からの景観を重要視している事から、全ての引き戸、障子63の縁には化粧板62を設置している。そして当該耐力パネル11として透明な板を使用していることから、引き戸Tや障子63の外観を阻害することなく、従来通りの模様や景観を保持することができる。但し、本実施の形態にかかる耐力パネルを設置することにより、当該引き戸は開閉動作は可能であるものの、当該耐力パネルによって塞がれることになる。よって、当該耐力パネル11を設置するのは、出入り目的ではなく、専ら明り取り、又は景観上の観点から設けられている引き戸の枠に設置される事が望ましい。
【００４８】
また、図７では上記耐力パネル11を他の建築物に設置した例を示している。この図７は、庭園に植物を有する寺院73の斜視図を示しており、当該寺院73には、横方向に並んだ５箇所の引き戸Uが存在している。このように複数の引き戸枠が存在する建築物においては、出入りに支障を来さない所に設けられている引き戸枠に対して、耐力パネル11を設置する事が望ましい。また、建築物において耐震性能に偏芯が生じない様に、バランス良く配置することが望ましく、耐震性能についての効果を考慮すれば、建築物における端部側に設けるのが望ましい。よって、本実施の形態では、左端から３つ目までの引き戸Uに対して透明な耐力パネル11を使用している。残り２つの引き戸Uに対して耐力パネル11を設置しないのは、当該寺院73に参拝する客などが存在する場合、残り２つの引き戸Uを通じて室内に出入りできるようにする為である。そして出入りしない３つの引き戸においては、透明な耐力パネル11を使用しており、且つ引き戸Uは開閉できる事から、従前のままに、室内の様子が観覧可能になっている。
【００４９】
上記のように、耐力パネル11の設置工法に関しては、目的並びに使用方法に応じて適宜耐力パネルの設置枚数を設定することができる。例えば、観光客などが室内及び屋外から観賞する建築物においては、当該引き戸の室内側、及び室外側の何れに耐力パネルを設置しても良い。但し、見る方向が特定される場合、或いは着目度が高い場合には、その反対側に耐力パネルを設置するのが望ましい。例えば、室内からの景観が重要視されている場合には、当該耐力パネル11は、引き戸の室外側に設置するのが望ましい。また当該建物の外観が重要視されている場合には、前記耐力パネルは室内側に設置するのが望ましい。
【００５０】
特に、重要文化財などに認定されているような建物には古くからの建造物が多く、耐震補強が必須であるが、間近で観覧可能に設定している建物も多いため、少しでも既存の美観を保持することが必要である。そうした場合でも、本発明にかかる引き戸枠に対する耐力パネルの設置工法を使用すれば、大規模な補強工事を必要としなく、既存の建築物の美観を保持したまま、建物の耐震性・耐力性などを高めることが可能となる。
【符号の説明】
【００５１】
１１    耐力パネル
１２    桁材
１３    柱材
１４    敷居
１５a、１５b    耐力パネル取付金物
１６    金物取付部
１７    耐力パネル取付部
１８    孔部
１９    締結部材
２０    金物支持部材
Ｓ、Ｔ、Ｕ    引き戸
２１    敷居レール
５２、６２    化粧板
６３    障子
６４    畳
６５    蛍光灯
７３    寺院
【図１】
2016053248.tif 000003
【図２】
2016053248.tif 000004
【図３】
2016053248.tif 000005
【図４】
2016053248.tif 000006
【図５】
2016053248.tif 000007
【図６】
2016053248.tif 000008
【図７】
2016053248.tif 000009